【手続補正書】
【提出日】平成24年3月9日(2012.3.9)
【手続補正１】
【補正対象書類名】明細書
【補正対象項目名】００１１
【補正方法】変更
【補正の内容】
【００１１】
本発明は、以下の形態として実現可能である。
［形態１］
携帯型電子デバイスとアクセサリデバイスとの間における通信のための方法であって、
前記アクセサリデバイスに対してデバイス能力要求を発行することと、
前記アクセサリデバイスからデバイス能力応答を受信することと、
前記デバイス能力に基づいて前記アクセサリデバイスと引き続きやりとりすることと、
を備える方法。
［形態２］
形態１に記載の方法であって、
前記デバイス能力応答は、電力制御能力、フィルタリング能力、リスニングモード能力、リスニング窓タイミング能力、ビーコン伝送サポート、および伝送速度サポートのうちの１つまたは複数に関する情報を含む、方法。
［形態３］
形態１または２に記載の方法であって、さらに、
前記アクセサリデバイスの動作モードを設定するために使用されるデバイスモード設定要求を前記アクセサリデバイスに対して発行することを備える方法。
［形態４］
形態３に記載の方法であって、
前記デバイスモード設定要求は、電力制御モード、フィルタリングモード、データ転送制御モード、リスニングモード、リスニング窓タイミング制御状態、ビーコン伝送制御状態、および伝送速度制御状態のうちの１つまたは複数を、前記アクセサリデバイスにおいて設定するように動作する、方法。
［形態５］
形態１に記載の方法であって、さらに、
前記アクセサリデバイスにおいてネットワークフィルタリングを設定するために使用されるフィルタ設定要求を前記アクセサリデバイスに対して発行することを備える方法。
［形態６］
形態５に記載の方法であって、
前記フィルタ設定要求は、電力制御モード、フィルタリングモード、データ転送制御モード、リスニングモード、リスニング窓タイミング制御状態、ビーコン伝送制御状態、および伝送速度制御状態のうちの１つまたは複数を前記アクセサリデバイスにおいて設定するように動作する、方法。
［形態７］
形態６に記載の方法であって、
前記フィルタリングは、ノード識別子に基づくノードフィルタリングである、方法。
［形態８］
形態６に記載の方法であって、
フィルタリスト上の１つまたは複数のエントリは、ネットワークを通じて前記アクセサリデバイスにおいて受信されたどのデータフレームが前記携帯型コンピューティングデバイスへと転送されるかを判断するために、前記アクセサリデバイスによって使用される、方法。
［形態９］
形態６に記載の方法であって、
前記フィルタ設定要求は、フィルタリストに対して１つまたは複数のエントリを追加する、方法。
［形態１０］
形態９に記載の方法であって、
前記フィルタリスト上の１つまたは複数のエントリは、ネットワークを通じて前記アクセサリにおいて受信されたどのデータフレームが前記携帯型コンピューティングデバイスへと転送されるかを判断するために、前記アクセサリデバイスによって使用される、方法。
［形態１１］
形態１に記載の方法であって、さらに、
生理学的感知デバイスと通信するために前記アクセサリデバイスによって用いられるネットワークの伝送速度を設定するために使用されるネットワークデータ速度設定要求を前記アクセサリデバイスに対して発行することを備える方法。
［形態１２］
形態１に記載の方法であって、さらに、
生理学的感知デバイスと通信するために前記アクセサリデバイスによって用いられるネットワークを通じて入ってくるデータフレームを前記アクセサリデバイスが聴く受信窓を設定するために使用される受信窓タイミング設定要求を前記アクセサリデバイスに対して発行することを備える方法。
［形態１３］
形態１２に記載の方法であって、
前記受信窓タイミング設定要求は、少なくとも、受信期間の時間間隔および持続時間を含む、方法。
［形態１４］
形態１に記載の方法であって、さらに、
別のデバイスと通信するために前記アクセサリデバイスによって用いられるネットワークを通じてデータフレームを送信するために前記アクセサリデバイスによって使用される伝送ビーコン設定要求を前記アクセサリデバイスに対して発行することを備える方法。
［形態１５］
形態１２に記載の方法であって、
前記受信窓タイミング設定要求は、少なくとも、受信期間の時間間隔および持続時間を含む、方法。
［形態１６］
形態１に記載の方法であって、
前記アクセサリデバイスは、ネットワークを通じて１つまたは複数の生理学的感知デバイスと通信することができる無線インターフェースデバイスである、方法。
［形態１７］
形態１に記載の方法であって、
前記ネットワークは有線ネットワークである、方法。
［形態１８］
形態１に記載の方法であって、
前記ネットワークは無線ネットワークである、方法。
［形態１９］
携帯型メディアプレーヤとそれに対して可動作式に接続可能である補助デバイスとの間における通信のためのコンピュータプログラムコードを少なくとも含むコンピュータ可読媒体であって、
前記アクセサリデバイスに対してデバイス能力要求を発行するためのコンピュータプログラムコードと、
前記アクセサリデバイスからデバイス能力応答を受信するためのコンピュータプログラムコードと、
前記アクセサリデバイスの動作モードを設定するために使用されるデバイスモード設定要求を前記アクセサリデバイスに対して発行するためのコンピュータプログラムコードと、
前記アクセサリデバイスにおいてネットワークフィルタリングを設定するために使用されるフィルタ設定要求を前記アクセサリデバイスに対して発行するためのコンピュータプログラムコードと、
前記デバイス能力、前記動作モード、および前記ネットワークフィルタリングに基づいて前記アクセサリデバイスと引き続きやりとりするためのコンピュータプログラムコードと、
を備えるコンピュータ可読媒体。
［形態２０］
形態１９に記載のコンピュータ可読媒体であって、
前記やりとりは、前記携帯型電子デバイスにおいて前記アクセサリデバイスからデータフレームを受信するように動作する、コンピュータ可読媒体。
［形態２１］
形態１９に記載のコンピュータ可読媒体であって、
前記補助デバイスは、前記携帯型電子デバイスに、取り外し可能式に接続されることによってつながれる、コンピュータ可読媒体。
［形態２２］
形態２１に記載のコンピュータ可読媒体であって、
前記補助デバイスは、前記携帯型電子デバイスに、前記携帯型電子デバイスのコネクタおよび前記アクセサリデバイスのコネクタを通じて取り外し可能式に接続されることによってつながれる、コンピュータ可読媒体。
［形態２３］
形態１９に記載のコンピュータ可読媒体であって、
前記デバイス能力応答は、電力制御能力、フィルタリング能力、リスニングモード能力、リスニング窓タイミング能力、ビーコン伝送サポート、および伝送速度サポートのうちの１つまたは複数に関する情報を含む、コンピュータ可読媒体。
［形態２４］
形態２３に記載のコンピュータ可読媒体でって、
前記デバイスモード設定要求は、電力制御モード、フィルタリングモード、データ転送制御モード、リスニングモード、リスニング窓タイミング制御状態、ビーコン伝送制御状態、および伝送速度制御状態のうちの１つまたは複数を前記アクセサリデバイスにおいて設定するように動作する、コンピュータ可読媒体。
［形態２５］
形態１９に記載のコンピュータ可読媒体であって、
前記フィルタ設定要求は、電力制御モード、フィルタリングモード、データ転送制御モード、リスニングモード、リスニング窓タイミング制御状態、ビーコン伝送制御状態、および伝送速度制御状態のうちの１つまたは複数を前記アクセサリデバイスにおいて設定するように動作する、コンピュータ可読媒体。
［形態２６］
形態１９に記載のコンピュータ可読媒体であって、
前記フィルタ設定要求は、１つまたは複数のエントリをフィルタリストに追加し、
前記フィルタリスト上の１つまたは複数のエントリは、ネットワークを通じて前記アクセサリデバイスにおいて受信されたどのデータフレームが前記携帯型コンピューティングデバイスに転送されるかを判断するために、前記アクセサリデバイスによって使用される、コンピュータ可読媒体。
［形態２７］
形態１９に記載のコンピュータ可読媒体であって、さらに、
生理学的感知デバイスと通信するために前記アクセサリデバイスによって用いられるネットワークの伝送速度を設定するために使用されるネットワークデータ速度設定要求を前記アクセサリデバイスに対して発行するためのコンピュータプログラムコードを備えるコンピュータ可読媒体。
［形態２８］
形態１９に記載のコンピュータ可読媒体であって、さらに、
生理学的感知デバイスと通信するために前記アクセサリデバイスによって用いられるネットワークを通じて入ってくるデータフレームを前記アクセサリデバイスが聴く受信窓を設定するために使用される受信窓タイミング設定要求を前記アクセサリデバイスに対して発行するためのコンピュータプログラムコードを備えるコンピュータ可読媒体。
［形態２９］
形態２８に記載のコンピュータ可読媒体であって、
前記受信窓タイミング設定要求は、少なくとも、受信期間の時間間隔および持続時間を含む、コンピュータ可読媒体。
［形態３０］
形態１９に記載のコンピュータ可読媒体であって、さらに、
別のデバイスと通信するために前記アクセサリデバイスによって用いられるネットワークを通じてデータフレームを送信するために前記アクセサリデバイスによって使用される伝送ビーコン設定要求を前記アクセサリデバイスに対して発行するためのコンピュータプログラムコードを備えるコンピュータ可読媒体。
［形態３１］
携帯型電子デバイスとそれに対して可動作式に接続可能である補助デバイスとの間における通信のためのコンピュータプログラムコードを少なくとも含むコンピュータ可読媒体であって、
前記アクセサリデバイスに対してデバイス能力要求を発行するためのコンピュータプログラムコードと、
前記アクセサリデバイスからデバイス能力応答を受信するためのコンピュータプログラムコードと、
前記アクセサリデバイスにおいてネットワークフィルタリングを設定するために使用されるフィルタ設定要求を前記アクセサリデバイスに対して発行するためのコンピュータプログラムコードと、
前記デバイス能力および前記ネットワークフィルタリングに基づいて前記アクセサリデバイスと引き続きやりとりするためのコンピュータプログラムコードと、
を備えるコンピュータ可読媒体。
［形態３２］
形態３１に記載のコンピュータ可読媒体であって、
前記デバイス能力応答は、電力制御能力、フィルタリング能力、リスニングモード能力、リスニング窓タイミング能力、ビーコン伝送サポート、および伝送速度サポートのうちの１つまたは複数に関する情報を含む、コンピュータ可読媒体。
［形態３３］
形態３１に記載のコンピュータ可読媒体であって、
前記フィルタ設定要求は、１つまたは複数のエントリをフィルタリストに追加し、
前記フィルタリスト上の１つまたは複数のエントリは、ネットワークを通じて前記アクセサリデバイスにおいて受信されたどのデータフレームが前記携帯型コンピューティングデバイスに転送されるかを判断するために、前記アクセサリデバイスによって使用される、コンピュータ可読媒体。
［形態３４］
携帯型電子デバイスとそれに対して可動作式に接続可能である補助デバイスとの間における通信のためのコンピュータプログラムコードを少なくとも含むコンピュータ可読媒体であって、
前記アクセサリデバイスにおいてネットワークフィルタリングを設定するために使用されるフィルタ設定要求を前記アクセサリデバイスに対して発行するためのコンピュータプログラムコードと、
前記ネットワークフィルタリングに基づいて前記アクセサリデバイスと引き続きやりとりするためのコンピュータプログラムコードと、
を備えるコンピュータ可読媒体。
［形態３５］
形態３４に記載のコンピュータ可読媒体であって、
前記補助デバイスは、前記携帯型電子デバイスに、取り外し可能式に接続されることによってつながれる、コンピュータ可読媒体。
［形態３６］
形態３４に記載のコンピュータ可読媒体であって、
前記やりとりは、前記携帯型電子デバイスにおいて前記アクセサリデバイスからデータフレームを受信するように動作する、コンピュータ可読媒体。
［形態３７］
形態３６に記載のコンピュータ可読媒体であって、
前記フィルタ設定要求は、電力制御モード、フィルタリングモード、データ転送制御モード、リスニングモード、リスニング窓タイミング制御状態、ビーコン伝送制御状態、および伝送速度制御状態のうちの１つまたは複数を前記アクセサリデバイスにおいて設定するように動作する、コンピュータ可読媒体。
［形態３８］
形態３６に記載のコンピュータ可読媒体であって、
前記フィルタリスト上の１つまたは複数のエントリは、ネットワークを通じて前記アクセサリデバイスにおいて受信されたどのデータフレームが前記携帯型コンピューティングデバイスに転送されるかを判断するために、前記アクセサリデバイスによって使用される、コンピュータ可読媒体。
［形態３９］
形態３８に記載のコンピュータ可読媒体であって、
前記フィルタ設定要求は、１つまたは複数のエントリをフィルタリストに追加する、コンピュータ可読媒体。
［形態４０］
形態３４に記載のコンピュータ可読媒体であって、さらに、
生理学的感知デバイスと通信するために前記アクセサリデバイスによって用いられるネットワークの伝送速度を設定するために使用されるネットワークデータ速度設定要求を前記アクセサリデバイスに対して発行するためのコンピュータプログラムコードを備えるコンピュータ可読媒体。
［形態４１］
形態３４に記載のコンピュータ可読媒体であって、さらに、
生理学的感知デバイスと通信するために前記アクセサリデバイスによって用いられるネットワークを通じて入ってくるデータフレームを前記アクセサリデバイスが聴く受信窓を設定するために使用される受信窓タイミング設定要求を前記アクセサリデバイスに対して発行するためのコンピュータプログラムコードを備えるコンピュータ可読媒体。
［形態４２］
形態４１に記載のコンピュータ可読媒体であって、
前記受信窓タイミング設定要求は、少なくとも、受信期間の時間間隔および持続時間を含む、コンピュータ可読媒体。
［形態４３］
形態３４に記載のコンピュータ可読媒体であって、さらに、
別のデバイスと通信するために前記アクセサリデバイスによって用いられるネットワークを通じてデータフレームを送信するために前記アクセサリデバイスによって使用される伝送ビーコン設定要求を前記アクセサリデバイスに対して発行するためのコンピュータプログラムコードを備えるコンピュータ可読媒体。
本発明の原理を例として示した添付の図面に関連した以下の詳細な説明から、本発明のその他の態様および利点が明らかになる。